(57)【要約】【課題】  部品の必要点数を削減することを可能にしても線状光源によるバックライト作用の安定性が確保されるバックライト装置を提供する。バックライト装置の軽量化と共に、組立工数の削減、コストダウンを促進する。【解決手段】  リアフレーム６の一対の傾斜板部６３，６４に取付口部６５，６６を開設する。取付口部６５，６６にゴム製のホルダー１０，２０を取り付ける。一方側のホルダー１０の挿通孔１１，２１に挿通してリアフレーム６の背板部６１に沿って配備した線状光源４を、他方側のホルダー２０の挿通孔２１にも挿通させて、線状光源４を一方側及び他方側のホルダー１０，２０を介してリアフレーム６に取り付ける。反射板５を、リアフレーム６の背板部６１と傾斜板部６３，６４とに重ね合わせておく。【選択図】        図２
2009004202.tif 000002
【特許請求の範囲】
【請求項１】
液晶表示装置のリアフレームと、このリアフレームに取り付けられる線状光源と、線状光源から出た光を反射させる反射板と、を有し、
上記リアフレームに、背板部とこの背板部に前拡がりの傾斜姿勢に曲成された一対の傾斜板部とが備わり、それらの傾斜板部のそれぞれに開設された取付口部に上記線状光源の挿通孔を有するゴム製のホルダーが個別に取り付けられ、一方側の傾斜板部の取付口部に取り付けられている一方側の上記ホルダーの挿通孔に挿通されて上記背板部に沿って配備された上記線状光源が、他方側の傾斜板部の取付口部に取り付けられている他方側の上記ホルダーの挿通孔にも挿通されることによって、その線状光源が一方側及び他方側の上記ホルダーを介して上記リアフレームに取り付けられていると共に、上記反射板が、上記リアフレームの背板部と一対の傾斜板部とに重ね合わされていることを特徴とする液晶表示装置のバックライト装置。
【請求項２】
上記線状光源が、一方側及び他方側の上記ホルダーによって弾圧状態で保持されている請求項１に記載した液晶表示装置のバックライト装置。
【請求項３】
一方側及び他方側の上記ホルダーが、上記リアフレームの外側に突き出た線状光源の余剰部分の全体を覆い隠して光漏れを防ぐ遮光機能を有している請求項１又は請求項２に記載した液晶表示装置のバックライト装置。
【請求項４】
上記傾斜板部に対する一方側及び他方側の上記ホルダーの取付箇所で、その傾斜板部の取付口部の口縁が上記ホルダーに具備された係合溝に係合されてその取付口部からのホルダーの脱落が阻止されている請求項１ないし請求項３のいずれか１項に記載した液晶表示装置のバックライト装置。
【請求項５】
上記傾斜板部における一方側及び他方側の上記ホルダーの取付箇所では、その傾斜板部に設けられた垂直部に上記取付口部が開設され、かつ、その垂直部から直角に延び出てその垂直部と共働して入隅部を形成している座板部に上記ホルダーが重なり合っている請求項４に記載した液晶表示装置のバックライト装置。
【発明の詳細な説明】
【技術分野】
【０００１】
本発明は、液晶表示装置のバックライト装置に関する。さらに詳しくは、蛍光灯管などの線状光源がリアフレームに取り付けられている液晶表示装置のバックライト装置に関する。
【背景技術】
【０００２】
図８は従来例の概略構成を分割斜視図で示してある。この液晶表示装置はテレビジョン受像機に用いられていて、液晶パネル１と、液晶パネル１の外周に嵌合されるベゼル２と、ベゼル２との間に液晶パネル１を挟み込むリフレクターフレーム又はランプフレームと称される枠フレーム３と、この枠フレーム３によって囲まれた空間に配備されるバックライト用の線状光源４と、線状光源４の光を液晶パネル１に向けて反射させる樹脂シートでなる反射板５と、枠フレーム３との間で反射板５を挟持するリアフレーム６とを備えているほか、光拡散プレート７１及び光拡散シート７２、クッションスペーサ７３、中継基板８１，８２などを備えている。
【０００３】
図９は図８の液晶表示装置における線状光源４の取付部構造を概略で示した垂直断面図である。同図のように、リアフレーム６はその背板部６１に取付孔６２を備えている。そして、この取付孔６２を利用してリアフレーム６にゴム製のホルダー９０が固定されていて、そのホルダー１０に線状光源４の端部が保持されている。また、図８に示したように、線状光源４の他の箇所が別のゴム製のホルダー９１を介してリアフレーム６に取り付けられている。さらに、ホルダー９０，９１による線状光源４の取付箇所、すなわち線状光源４のバックライト作用に寄与しない余剰部分（電極部など）は、上記枠フレーム３に設けられた傾斜板部３１によって覆い隠されている。
【０００４】
この構成の液晶表示装置において、線状光源４から出た光は反射板５や枠フレーム３の傾斜板部３１で反射して液晶パネル１をその背部から照射する。
【０００５】
一方、従来より、液晶表示装置の直下型のバックライト装置にあっては、反射板に取り付けたランプホルダーによって冷陰極線管を保持させることが行われている（たとえば、特許文献１参照）。また、バックライトユニットにおいて、その光源ランプの着脱を容易に行うことができるようにするための研究（たとえば、特許文献２参照）や、バックライト反射板の大形化を促進させるための研究なども従来より行われている（たとえば、特許文献３参照）。
【特許文献１】特開２００４−１３４２８１号公報
【特許文献２】特開２００４−３０３５３９号公報
【特許文献３】特開２００５−２６７８５２号公報
【発明の開示】
【発明が解決しようとする課題】
【０００６】
図８又は図９を参照して説明した液晶表示装置では、反射板５が重ね合わされているリアフレーム６のほかに枠フレーム３が追加されていて、その枠フレーム３に光反射作用を行う傾斜板部３１を具備させてあり、そうすることによって、線状光源４の光が反射板５と傾斜板部３１とにより液晶パネル１に向けて反射されるようになっている。そして、枠フレーム３の傾斜板部３１は、液晶パネル１の端部などの明るさをその中央部の明るさと同等に保って液晶パネル１の全領域での輝度を一様にすることに役立っている。
【０００７】
その一方で、近時では液晶表示装置の軽量化やコストダウンが強く要請されている。そこで、本願発明者は、必要部品の点数削減を通じて液晶表示装置の軽量化やコストダウンを図るために鋭意調査を行い、リアフレーム６に一定の対策を講じた上で、そのリアフレームに線状光源４を取り付けるようにすると、上記した枠フレーム３を省略することができることを見出し、本発明を完成させるに至った。
【０００８】
したがって、本発明は、従来例では不可欠であった上記枠フレームを省略することのできる構造を採用することによって、液晶表示装置の軽量化やコストダウンを促進することのできるバックライト装置を提供することを目的とする。
【課題を解決するための手段】
【０００９】
本発明に係る液晶表示装置のバックライト装置は、液晶表示装置のリアフレームと、このリアフレームに取り付けられる線状光源と、線状光源から出た光を反射させる反射板と、を有している。そして、上記リアフレームに、背板部とこの背板部に前拡がりの傾斜姿勢に曲成された一対の傾斜板部とが備わり、それらの傾斜板部のそれぞれに開設された取付口部に上記線状光源の挿通孔を有するゴム製のホルダーが個別に取り付けられ、一方側の傾斜板部の取付口部に取り付けられている一方側の上記ホルダーの挿通孔に挿通されて上記背板部に沿って配備された上記線状光源が、他方側の傾斜板部の取付口部に取り付けられている他方側の上記ホルダーの挿通孔にも挿通されることによって、その線状光源が一方側及び他方側の上記ホルダーを介して上記リアフレームに取り付けられていると共に、上記反射板が、上記リアフレームの背板部と一対の傾斜板部とに重ね合わされている。
【００１０】
この構成を備えたバックライト装置によると、線状光源が、リアフレームの一対の傾斜板部に取り付けられたホルダーを介してそのリアフレームに取り付けられている。そのため、線状光源がリアフレームの背板部に沿って配備され、その背板部に重ね合わされた反射板が線状光源の光を反射することになる。また、線状光源の有効領域を除く余剰部分、すなわち、線状光源の端部の電極部や曲り部（Ｕ字型光源の場合）といった発光に寄与し得ない領域が、リアフレームの傾斜板部の外側に配備されるようになるので、図９に示したように枠フレーム３によってそれらの余剰部分を覆い隠すという必要性はなくなる。したがって、従来例では不可欠であった枠フレームが省略されて部品点数や組立工数が削減され、液晶表示装置の軽量化やコストダウンが促進されるようになる。
【００１１】
本発明では、上記線状光源が、一方側及び他方側の上記ホルダーによって弾圧状態で保持されていることが望ましい。これによれば、リアフレームに取り付けられた線状光源がぐらつくことがなくなって安定したバックライト作用が発揮される。
【００１２】
本発明では、一方側及び他方側の上記ホルダーが、上記リアフレームの外側に突き出た線状光源の余剰部分の全体を覆い隠して光漏れを防ぐ遮光機能を有していることが望ましい。この構成を採用すると、線状光源の余剰部分からの光の漏れを防ぐために余分な部品を用いる必要がないという利点がある。
【００１３】
本発明では、上記傾斜板部に対する一方側及び他方側の上記ホルダーの取付箇所で、その傾斜板部の取付口部の口縁が上記ホルダーに具備された係合溝に係合されてその取付口部からのホルダーの脱落が阻止されていることが望ましい。この構成を採用すると、リアフレームの傾斜板部に対してホルダーが脱落しないように取り付けられるので、組立工程で線状光源をホルダーの挿通孔に挿通させるときに、ホルダーが脱落して組立効率が低下するという事態が生じない。
【００１４】
本発明では、上記傾斜板部における一方側及び他方側の上記ホルダーの取付箇所では、その傾斜板部に設けられた垂直部に上記取付口部が開設され、かつ、その垂直部から直角に延び出てその垂直部と共働して入隅部を形成している座板部に上記ホルダーが重なり合っている、という構成を採用することが可能である。これによれば、ホルダーをぐらつきなくリアフレームの傾斜板部に取り付けることが容易に可能になる。
【発明の効果】
【００１５】
以上のように、本発明によれば、従来例では不可欠であった枠フレームを省略して部品の必要点数を削減することが可能になるにもかかわらず、線状光源によるバックライト作用の安定性が確保され、かつ、線状光源の余剰部分からの光漏れが防止される。したがって、バックライト装置の軽量化と共に、組立工数の削減、ひいてはコストダウンが促進されるという効果が奏される。
【発明を実施するための最良の形態】
【００１６】
図１は本発明に係る液晶表示装置のバックライト装置に採用されているリアフレーム６の概略斜視図である。図２はリアフレーム６に対する線状光源４の取付構造などを概略で示した垂直断面図であり、図３及び図４は図２の異なる２箇所の構成を拡大して示した垂直断面図である。さらに、図５はホルダー１０と線状光源４とを示した分解斜視図、図６は別のホルダー２０の概略斜視図、図７は変形例によるホルダー１０と線状光源４とを示した分解斜視図である。なお、図１〜図７において、図８及び図９に示した要素と同一又は相応する要素には同一の符号を付してある。
【００１７】
図１に示したリアフレーム６は板金製であり、矩形の背板部６１とその背板部６１の長手方向の一端部と他端部とに傾斜姿勢に曲成された一対の傾斜板部６３，６４とを備えている。図例のリアフレーム６では、一対の傾斜板部６３，６４が背板部６１から外向きに傾斜して延び出ている。言い換えると、一対の傾斜板部６３，６４が前拡がりの傾斜姿勢に保形されていて、それぞれの傾斜板部６３，６４の背板部６１に対する傾斜角度は同等になっている。
【００１８】
図１に示したように、一方側の傾斜板部６３の複数箇所には矩形の開口でなる取付口部６５が間隔を隔てて並べて形成されていて、それぞれの取付口部６５に図３に示したようにゴム製の一方側のホルダー１０が取り付けられている。これと同様に、他方側の傾斜板部６４の複数箇所にも矩形の開口でなる取付口部６６（図１には現れていない）が間隔を隔てて並べて形成されていて、それぞれの取付口部６６に図４に示したようにゴム製の他方側のホルダー２０が取り付けられている。一方側及び他方側のホルダー１０，２０のそれぞれには、円形の挿通孔１１，２１が備わっていて、それらの挿通孔１１，２１に細い丸管形状の蛍光灯管でなる線状光源４が挿通され、それらの挿通箇所ではホルダー１０，２０がその弾性復元力によって線状光源４を弾圧状態で保持している。
【００１９】
また、リアフレーム６の背板部６１と一対の傾斜板部６３，６４とには、樹脂シートでなる一枚の反射板５が重ね合わされて、その反射板５が背板部６１と一対の傾斜板部６３，６４とによって形作られる形状と同じ形状に保形されている。なお、図３及び図４のように、線状光源４は、反射板５に開設されている開口５１に挿通されている。
【００２０】
上記構成を備えるバックライト装置によると、線状光源４がリアフレーム６の傾斜板部６３，６４に取り付けられたホルダー１０，２０に弾圧状態で挟持されているために、リアフレーム６に対する線状光源４の取付安定性に優れている。そして、線状光源４から出た光が、直接又は反射板５で反射して液晶パネル１を照射する。したがって、上記構成を有するバックライト装置は、図８や図９を参照して説明した枠フレーム３を備えていないにもかかわらず、バックライト装置としての実使用に供することが可能である。
【００２１】
図３に示したように、この実施形態において一方側のホルダー１０の取付箇所では、リアフレーム６の傾斜板部６３の取付口部６５の口縁６５ａがホルダー１０に具備された係合溝１２に係合してその取付口部６５からのホルダー１０の脱落が阻止されている。これと同様に、図４に示したように、他方側のホルダー２０の取付箇所では、リアフレーム６の傾斜板部６４の取付口部６６の口縁６６ａがホルダー２０に具備された係合溝２２に係合してその取付口部６６からのホルダー２０の脱落が阻止されている。したがって、線状光源４は、一対の傾斜板部６３，６４のそれぞれに脱落しないように取り付けられているホルダー２０，１０によって弾圧状態でぐらつきなく確実に保持されていることになる。      
【００２２】
なお、図５や図６に示したように、ホルダー１０，２０の係合溝１２，２２はそのホルダー１０，２０の周囲に環状に形作られている。
【００２３】
図３及び図４のように、この実施形態では、一方側及び他方側のホルダー１０，２０が、リアフレーム６の傾斜板部６３，６４の外側に突き出た線状光源４のバックライト作用を発揮する有効領域を除く余剰部分の全体を覆い隠して光漏れを防いでいる。そのため、ホルダー１０，２０は、線状光源４の余剰部分から出る光を遮光する機能を発揮する。このことは、リアフレーム６を取り囲むケース（不図示）の合わせ目などからの洩光を防ぐことに役立つ。
【００２４】
また、この実施形態において、一方側及び他方側のホルダー１０，２０の取付箇所では、傾斜板部６３，６４に設けられた垂直部６７，６８に取付口部６５，６６が開設されていて（図１、図３、図４参照）、その垂直部６７，６８から直角に延び出てその垂直部６７，６８と共働して入隅部を形成している座板部６９，７０にホルダー１０，２０が重なり合っている。この構成を採用したことにより、ホルダー１０，２０がぐらつきなくリアフレーム６の傾斜板部６３，６４に取り付けられていて、そのことが、リアフレーム６に対する線状光源４の取付状態の安定性を高めてその線状光源４のぐらつきを防ぐことに役立っている。
【００２５】
線状光源４には直管型の蛍光灯管を用いることが可能であり、その場合には、線状光源の電極部が一方側及び他方側のホルダー１０，２０に保持される。また、線状光源４には、図５や図６に示したＵ字管型の蛍光灯管を用いることも可能であり、その場合には、図４に示したように、他方側のホルダー２０に電極部４１が保持されて、その電極部４１から給電線４２が引き出される。
【００２６】
また、線状光源４にＵ字管型の蛍光灯管を用いる場合には、図５に示したように、線状光源４の平行部分４３，４４を別々の一方側のホルダー１０，１０の挿通孔１１，１１に挿通させて別々の他方側のホルダーにも挿通させるという構成を採用することが可能である。さらに、線状光源４にＵ字管型の蛍光灯管を用いる場合には、図６に示したように、１つのホルダー１０の２箇所に挿通孔１１，１１を具備させて、それらの挿通孔１１，１１に線状光源４の平行部分４３，４４を挿通させるようにすることも可能である。
【００２７】
この実施形態のバックライト装置の組立工程はたとえば次の手順で行われる。すなわち、リアフレーム６の一対の傾斜板部６３，６４の取付口部６５，６６に、ゴム製のホルダー１０，２０を差し込んでその係合溝１２，２２に口縁６５ａ，６６ａを係合させた後、リアフレーム６に反射板５を重ね合わせる。次に、線状光源４を一方側のホルダー２０の挿通孔２１に挿通させてリアフレーム６の背板部６１に沿って配備し、さらに、線状光源４を、反射板５の開口５１と他方側のホルダー１０の挿通孔１１にも挿通させる。この後、線状光源４の電極部４１に給電線２２としてのワイヤーを半田付けする。
【図面の簡単な説明】
【００２８】
【図１】本発明に係るバックライト装置に採用されているリアフレームの概略斜視図である。
【図２】線状光源の取付構造などを概略で示した垂直断面図である。
【図３】図２の要部の構成を拡大して示した垂直断面図である。
【図４】図２の他の要部の構成を拡大して示した垂直断面図である。
【図５】ホルダーと線状光源とを示した分解斜視図である。
【図６】ホルダーの概略斜視図である。
【図７】変形例によるホルダーと線状光源とを示した分解斜視図である。
【図８】従来例による液晶表示装置の概略構成の分割斜視図である。
【図９】図８の液晶表示装置における線状光源の取付部構造を概略で示した垂直断面図である。
【符号の説明】
【００２９】
４  線状光源
５  反射板
６  リアフレーム
１０，２０  ホルダー
１１，２１  挿通孔
１２，２２  係合溝
６１  背板部
６３，６４  傾斜板部
６５，６６  取付口部
６５ａ，６６ａ  取付口部の口縁
６７，６８  垂直部
６９，７０  座板部
【図１】
2009004202.tif 000003
【図２】
2009004202.tif 000004
【図３】
2009004202.tif 000005
【図４】
2009004202.tif 000006
【図５】
2009004202.tif 000007
【図６】
2009004202.tif 000008
【図７】
2009004202.tif 000009
【図８】
2009004202.tif 000010
【図９】
2009004202.tif 000011